(57)【要約】【課題】消火後の煙草を再度点火した際の喫味を損なわないようにすることが出来る煙草消火具を提供すること。【解決手段】本考案は、充填部材１１の上面を、煙草を挿入可能な径で、所定の深さに穿設してなる挿入穴部１２と、該充填部材１１の底面を、挿入穴部１２と同軸で、挿入穴部１２よりも大径に穿設してなる煙拡散部１３と、挿入穴部１２と煙拡散部１３を連結する連結部１４とを設け、充填部材１１は、複数の材料を混合してなるものであり、充填部材１１の周囲（１１ｂ）がその内側（１１ａ）より堅くなるように、その周囲（１１ｂ）と内側（１１ａ）とでは複数の材料の混合比を異ならせたことを特徴とする。【選択図】        図１
0003170240.tif 000002
【実用新案登録請求の範囲】
【請求項１】
容器に、煙草の煙を吸着可能な材質からなる充填部材を設けた煙草消火具であって、
前記充填部材には、
該充填部材の上面を、前記煙草を挿入可能な径で、所定の深さに穿設してなる挿入穴部と、
該充填部材の底面を、前記挿入穴部と同軸で、前記挿入穴部よりも大径に穿設してなる煙拡散部と、
前記挿入穴部と前記煙拡散部とを連結する連結部とを設け、
前記充填部材は、複数の材料を混合してなるものであり、前記充填部材の周囲がその内側より堅くなるように、その周囲と内側とでは前記複数の材料の混合比を異ならせたことを特徴とする煙草消火具。
【請求項２】
前記容器は、有底の底面を有することを特徴とする請求項１記載の煙草消火具。
【請求項３】
前記容器の底面と、前記充填部材の底面との間に煙拡散のための空間を設けたことを特徴とする請求項１または２記載の煙草消火具。
【請求項４】
前記充填部材の底面に、煙吸着のための複数の細径の穴を穿設したことを特徴とする請求項１乃至３いずれか１項記載の煙草消火具。
【考案の詳細な説明】
【技術分野】
【０００１】
本考案は、消火後の煙草を再度点火した際の喫味を損なわないようにすることが出来る煙草消火具に関する。
【背景技術】
【０００２】
近年、原材料の値上がりやたばこ税の税率の引き上げなどが原因となって、煙草の価格が高騰化してきており、そのため、例えば、煙草を一服した後に消火して残しておき、その消火後の煙草（いわゆる、シケモク）を再度点火して喫煙するという喫煙形態が、しばしば見られるようになっている。
【０００３】
このような場合、煙草を消火するためには、例えば、灰皿に煙草の火口（着火部分；以下、単に「火口」という）を押しつけてこすり落とすなどの行動を取ることが考えられるが、その場合、消火後の煙草が曲がったり、刻みを包んでいる巻紙が破れるなどすることがあり、残しておいた煙草の姿が悪くなったり、喫味が悪くなるなどの問題があった。
【０００４】
そこで、従来、火の付いた煙草を消火する煙草消火具として、例えば、特許文献１に開示されているもののように、肉厚の金属素材から成り、煙草の径より大径の開口部より煙草を挿入すると、煙草の径よりやや大きめに絞られた孔部に煙草の先端が挿入されることにより、火口から熱を奪うとともに酸素の供給を遮断して煙草を消火するようにしたものや、特許文献２に開示されているもののように、火の付いた煙草のほぼ全体を収容することにより、着火部分から熱を奪うとともに酸素の供給を遮断して煙草を消火するようにしたものが提案されている。
【先行技術文献】
【特許文献】
【０００５】
【特許文献１】特開２００１−３７４６０号公報
【特許文献２】特開平１０−２３４３４８号公報
【考案の概要】
【考案が解決しようとする課題】
【０００６】
しかしながら、このような従来装置では、煙草を消火するという目的を達成することは出来るものの、その消火された煙草を再度点火して喫煙した際の喫味が悪くなると言う不具合を生じていた。
【０００７】
この考案は、かかる実情に鑑みてなされたものであり、消火された煙草を再度点火して喫煙した際の喫味が悪くなることを防止できる煙草消火具を提供することを目的とする。
【課題を解決するための手段】
【０００８】
上記課題を解決するために、本考案のある観点によれば、少なくとも底面を有する容器に、煙草の煙を吸着可能な材質からなる充填部材を設けた煙草消火具であって、前記充填部材には、該充填部材の上面を、前記煙草を挿入可能な径で、所定の深さに穿設してなる挿入穴部と、該充填部材の底面を、前記挿入穴部と同軸で、前記挿入穴部よりも大径に穿設してなる煙拡散部と、前記挿入穴部と前記煙拡散部とを連結する連結部とを設け、前記充填部材は、複数の材料を混合してなるものであり、前記充填部材の周囲がその内側より堅くなるように、その周囲と内側とでは前記複数の材料の混合比を異ならせたことを特徴とする煙草消火具が提供される。
この構成によれば、消火された煙草を再度点火して喫煙した際の喫味が悪くなることを防止できる。これは、挿入穴部に挿入した煙草の先端の火口（着火部）から立ち上る煙を充填部材により吸着しつつ、火口の温度を下げるとともに酸素の供給を絶つことで消火するため、火口が消火する際に、煙が煙草本体に戻ることによる燻蒸を抑止できるため、再度着火した際における煙草の喫味を変えることがなく、喫味を良好に維持することが出来るからである。
【０００９】
また、前記容器は有底の底面を有するものとしてもよい。
【００１０】
また、前記容器の底面と、前記充填部材の底面との間に煙拡散のための空間を設けたことを特徴としてもよい。
また、前記充填部材の底面に、煙吸着のための複数の細径の穴を穿設したことを特徴としてもよい。
【考案の効果】
【００１１】
以上説明したように、本考案によれば、消火された煙草を再度点火して喫煙した際の喫味が悪くなることを防止できる。効果の詳細は、後述する。
【図面の簡単な説明】
【００１２】
【図１】図１（ａ）は煙草消火具1の平面図、図１（ｂ）は、同図（ａ）のＡ−Ａ矢視断面図。
【図２】（ａ）は、煙草消火具１を用いて煙草２０を消火するために挿入穴部に挿入する直前の使用状態図。（ｂ）は、煙草２０を消火するために挿入穴部に挿入した使用状態図。
【図３】（ａ）は、煙草消火具１の第１の変形例を示した概略断面図。（ｂ）は、煙草消火具１の第２の変形例を示した概略断面図。
【図４】煙草消火具１の第３の変形例を示した概略断面図。
【図５】（ａ）煙草消火具１の第４の変形例を示した正面図。（ｂ）は、煙草消火具１の第４の変形例を示した斜視図。
【考案を実施するための形態】
【００１３】
以下、添付図面を参照しながら、この考案の実施の形態を詳細に説明する。
＜第１実施形態＞
図１（ａ），（ｂ）は、本考案の第１実施形態である煙草消火具１の概略構成を示した図であり、同図（ａ）は煙草消火具1の平面図で、同図（ｂ）は、同図（ａ）のＡ−Ａ矢視断面図である。
【００１４】
同図において、煙草消火具１は、円筒状の側面１０ａと、この側面１０ａの水平断面形状よりも半径が小さくされた円盤状の底面１０ｂと、側面１０ａと底面１０ｂとを連絡する傾斜部１０ｃとからなる容器１０と、この容器１０に収容される充填部材１１から構成されている。
【００１５】
また、充填部材１１は、充填部材１１の中央部に設けられ、煙草の煙成分を吸着するための煙吸着部材１１ａと、煙吸着部材１１ａの形状を維持して容器１０の内側に保持するために、煙吸着部材１１ａの周囲に設けられる壁部材１１ｂとからなる。
【００１６】
そして、煙吸着部材１１ａには、容器１０の開口側の上面を、煙草を挿入可能な径で、所定の深さに穿設してなる挿入穴部１２と、煙吸着部材１１ａの挿入穴部１２とは反対側の面（底面）を、挿入穴部１２と同軸で、その挿入穴部１２よりも大径に穿設してなる煙拡散部１３と、挿入穴部１２と煙拡散部１３とを連結する連結部１４とを設けている。
【００１７】
また、挿入穴部１２に煙草の先端が挿入しやすいように、挿入穴部１２の開口端１２ａはザグられてやや径が広くなるようにされている。また、挿入穴部１２の開口端１２ａの周囲には、煙草を挿入する際の目標を指示するためのマーキング１５が形成されている。
【００１８】
また、煙吸着部材１１ａの底面側から、煙草の煙成分を吸着する面積を大きくするために、複数の穴Ｈが同心円上に２列、等角度間隔で穿設されている。
そして、充填部材１１と容器１０の底面１０ｂとの間には、空間１６が設けられており、さらに、挿入穴部１２から見込む位置の底面１０ｂには、煙草の火口を受けるための金属材質の円盤１７が、金属材質の支柱１８を介して設けられている。
【００１９】
ここで、充填部材１１の煙吸着部材１１ａと壁部材１１ｂとは、煙成分を吸着する材料、例えば、珪藻土と、この珪藻土の形状を保持するための材料、例えば、白セメントとを混合してなる材料から構成されている。
【００２０】
そして、煙吸着部材１１ａは、煙草の煙成分をより多く吸着できるように、珪藻土の割合を白セメントの割合よりも多くした混合比、例えば、珪藻土が７０％に対して白セメントが３０％の割合で、珪藻土と白セメントとを混合した材料で構成し、壁部材１１ｂは、煙吸着部材１１ａの形状をより強固に維持できるように、珪藻土の割合を白セメントの割合よりも少なくした混合比、例えば、珪藻土が３０％に対して白セメントが７０％の割合で、珪藻土と白セメントとを混合した材料で構成されている。
【００２１】
ここに、煙成分を吸着する材料として珪藻土を用いたのは、珪藻土が漆喰に用いられることが知られているように、空気中の水分や種々の化学物質を吸着する能力が大きいために用いたのであって、同等の機能を有する材料であれば、珪藻土以外の材料に置き換えることが出来る。また、この珪藻土の形状を保持するための材料として白セメントを使用したのは、充填部材１１の材質の色を珪藻土の白色に合わせるためであって、珪藻土と混合した際の色を白色以外に設定する場合には、設定する色に対応した色の、それ以外の適宜な材料に置き換えることが可能である。
【００２２】
この煙草消火具１を用いて、煙草を消火する際の動作について、図２（ａ），（ｂ）を参照して説明する。
図２（ａ）に示すように、喫煙者が火の付いた煙草２０を、火口（着火部）２３を下にした状態で、マーキング１５を参考にしながら煙草消火具１の挿入穴部１２に挿入すると、煙草２０は、挿入穴部１２の延長方向に案内された状態で移動し、同図（ｂ）に示すように、その火口２３が円盤１７に到達する状態となる。喫煙者は、煙草２０の先端（火口２３）が円盤１７に到達した手応えを感じて、煙草２０より手を離すと、煙草２０は煙草消火具１に保持された状態で直立する。ここに、２１は煙草２０の刻みを包んだ紙巻き部、２２は煙草２０の吸い口を構成するフィルター部であり、ＳＳは煙草２０の火口２３から立ち上る煙である。
【００２３】
この状態では、煙草２０の火口２３が円盤１７に突き当たり、それにより、その熱量が金属材質の円盤１７及び支柱１８を介して、煙拡散部１３及び空間１６に放出されるので、火口２３の温度が下がるとともに、煙拡散部１３及び空間１６の酸素が消費されることで火口２３の燃焼が弱まり、その結果、火口２３が消火される。
【００２４】
それとともに、火口２３から立ち上る煙ＳＳは、煙拡散部１３及び空間１６に充満するとともに多数の穴Ｈに入り込む。そして、煙ＳＳは、煙拡散部１３、空間１６、及び多数の穴Ｈと接触する面積部分において、充填部材１１の材料に混合されている珪藻土により吸着されるので、上記の通りに火口２３が消火される頃には、煙ＳＳはほぼ充填部材１１に吸着し尽くされた状態と成り、それにより、煙ＳＳが煙草２０の紙巻き部２１を燻蒸するような事態が回避される。
【００２５】
このようにして、喫煙者が火の付いた煙草２０を煙草消火具１に挿入してしばらく時間が経過すると、煙草２０が消火されるとともに、その際、煙草２０から立ち上る煙ＳＳは、充填部材１１に吸着されて煙草２０の紙巻き部２１に戻ることがない。したがって、消火時に立ち上る煙ＳＳにより、煙草２０の紙巻き部２１が燻蒸されるような事態を回避することが出来る。
【００２６】
以上のことから、喫煙者が、火の消えた煙草２０に再度火を付けて喫煙する際には、煙草２０の喫味が、火を消す前の煙草２０と同等の喫味となり、喫煙者は、同じ煙草２０を消火前と同様な状態で再度喫煙を楽しむことが出来る。
【００２７】
＜変形例＞
図３（ａ），（ｂ）は、上述した本考案の第１の実施形態のそれぞれ異なる第１、第２の変形例を示している。なお、図３（ａ），（ｂ）において、図１（ａ），（ｂ）と同一部分及び相当する部分には、同一符号を付している。
上述した本考案の第１の実施形態では、容器１０の底面１０ｂと充填部材１１との間に空間１６を設けたが、図３（ａ），（ｂ）に示すように、容器１０の底面１０ｂに充填部材１１の下面が突き当たるように構成しても良い。また、図３（ａ）の変形例では、底面１０ｂに設けた円盤１７及び支柱１８を設けていないが、図３（ｂ）の変形例のように、円盤１７及び支柱１８を設けるようにしても良い。
また、図３（ａ），（ｂ）に示したこれらの変形例では、穴Ｈを設けていないが、適宜に設けるようにしても良い。
【００２８】
図４は、上述した第２の変形例のさらなる第３の変形例を示している。なお、図４において、図１（ａ），（ｂ）と同一部分及び相当する部分には、同一符号を付している。
この変形例では、容器１０として底面を開放した容器を用いており、この煙草消火具１を灰皿ＡＴ等の不燃性の板上に置いて使用する。この変形例では、煙草の灰などは、煙拡散部１３の下にある灰皿ＡＴ上に堆積するので、煙草の灰の処理を容易にすることができる。
なお、煙草消火具１の底部周辺に、シリコンゴム等の不燃性素材で作られたリングを設けると、煙草消火具１と灰皿ＡＴとの密閉性をより高めることができる。
【００２９】
図５（ａ），（ｂ）は、さらに上述した本考案の第１の実施形態の第４の変形例を示している。
この変形例では、容器１０の側面１０ａを、砲弾状の先細りの曲面に形成したものである。このように、容器１０の形状としては、図１（ａ），（ｂ）に示したような形状に限ることはなく、充填部材１１を収容できる形状であれば、任意の形状を採用することが出来る。
また、例えば、角柱状、角錐状、円錐状、及び任意の意匠を施した形状にすることが出来る。
また、容器１０を取り扱う際に落としたりすることがないように、容器１０の外壁に取っ手や摘みを設けたり、あるいは滑り止め加工を施す等、適宜の構成を採用することが出来る。
【００３０】
また、容器１０の材料としては、煙草２０の熱に耐えることが出来るような材質のものを用いることが好ましい。例えば、磁器、陶器、耐熱ガラス、金属等を用いること出来る。
また、マーキング１５としては、挿入穴部１２と同心円を描くもの以外に、挿入穴部１２を目立たせることが出来るような任意の装飾等を採用することが出来る。
【００３１】
また、以上述べてきた各実施形態の構成及び変形例は、矛盾しない範囲で適宜組み合わせて適用することも可能である。
【産業上の利用可能性】
【００３２】
本考案は、煙草の着火部分（火口）を消火するための器具であれば、適用することができる。例えば、容器の周囲に持ち手、つまみ、あるいはローレット（刻み）などを設けて容器の取り扱いを容易に出来るようにしたもの、容器の底面に底上げのための複数の突起や円環状の脚などを設けて、煙草から発せられる熱量を効率よく逃がすことが出来るようにしたものについても、同様に適用することが出来る。また、充填部材を構成する材料としては、煙草の煙成分を有効に吸着できるものであれば、上述した実施例の漆喰と白セメント以外のものを用いることが出来る。その場合、充填部材の素材色が白以外の色になることがある。また、充填部材の色を適宜に変えることで、製品のバリエーションを持たせることが出来る。
【符号の説明】
【００３３】
１  煙草消火具
１０  容器
１０ａ  側面
１０ｂ  底面
１１  充填部材
１１ａ  煙吸着部材
１１ｂ  壁部材
１２  挿入穴部
１２ａ  開口端
１３  煙拡散部
１４  連結部
１５  マーキング
１６  空間
１７  円盤
１８  支柱
２０  煙草
２３  火口（着火部分）
Ｈ  穴
【図１】
0003170240.tif 000003
【図２】
0003170240.tif 000004
【図３】
0003170240.tif 000005
【図４】
0003170240.tif 000006
【図５】
0003170240.tif 000007